(57)【要約】【課題】ＣＤＭＡ方式の無線通信規格において、パケットサイズや変調方式等を示す制御チャネルがデータチャネルと同区間にコード多重されているため、基地局は制御チャネルを復調するまでパケット情報が分からずデータを復調できない。一方で再送制御のため１サブフレーム後までに復調結果を判定し、下りチャネルで結果を送信しなくてはならない。再送制御のために１０サブフレーム間以上データを保持するメモリ容量が大きくなる点も問題。【解決手段】制御チャネルが復調されるまで受信信号をメモリに保持し、パケット情報が分かってから一気にデータを復調する。または制御チャネルの復調と並行してデータの復調も途中まで行い、その結果をメモリに保持しパケット情報が分かってから途中結果の取捨選択及び追加処理を行い最終出力を得る。メモリ容量の課題については再送区間の復調前データを再送途中で段階的に破棄し復調後の累積加算結果を主に保持する。【選択図】図５
2006229635.tif 000002
【特許請求の範囲】
【請求項１】
データチャネルと制御チャネルがコード多重されているＣＤＭＡ通信システムの無線通信装置であって、
上記データチャネル上に送信されるデータ信号および上記制御チャネル上に送信され、上記データ信号と対応付けられる制御信号とを含む受信信号を受信する受信部と、
パケットサイズまたは変調方式を示す制御信号の復調処理を行う制御チャネル復調部と、
上記制御信号の復調処理を行う間、受信信号を蓄積するメモリと、
上記制御チャネルの復調結果に基づいてパケットサイズまたは変調方式が決定された後、上記メモリから受信信号を読み出し、該決定されたパケットサイズ又は変調方式に応じてデータ信号の復調処理を行うデータチャネル復調部とを有することを特徴とする無線通信装置。
【請求項２】
請求項１記載の無線通信装置であって、データ送信装置との間で閉ループによるパケット再送制御を行い、
再送が発生する可能性のある期間中の受信信号を全て上記メモリに蓄積し、
あるパケットについて再送が発生した際には、前回送信時の受信信号の復調処理をやり直した上で累積加算することを特徴とする無線通信装置。
【請求項３】
請求項１記載の無線通信装置であって、データ送信装置との間で閉ループによるパケット再送制御を行い、
再送が発生する可能性のある期間中は前回送信時までのデータ復調結果を上記メモリに蓄積し、
あるパケットについて再送が発生した際には、前回送信時までのデータ復調結果に対し、再送時のデータ復調結果を累積加算することを特徴とする無線通信装置。
【請求項４】
請求項１記載の無線通信装置であって、データ送信装置との間で閉ループによるパケット再送制御を行い、
再送が発生する可能性のある期間中の受信信号を途中まで上記メモリに蓄積し、
あるパケットについて再送が発生した際、再送回数が少ないうちは前回送信時の受信信号の復調処理をやり直した上で累積加算して復調精度を高め、
再送回数が多くなってきたら、前回送信時までのデータ復調結果のみをメモリに蓄積し、前回送信時までのデータ復調結果に対し、再送時のデータ復調結果を累積加算することを特徴とする無線通信装置。
【請求項５】
請求項１記載の無線通信装置であって、複数のデータ送信装置と通信を行い、
上記メモリは、該複数のデータ送信装置からの信号を含む状態で上記受信信号を蓄積し、
上記データチャネル復調部は、上記メモリに蓄積された受信信号から抽出される信号であって、上記制御チャネル復調部で復調された信号の送信元であるデータ送信装置に対応する信号を復調することを特徴とする無線通信装置。
【請求項６】
データチャネルと制御データチャネルがコード多重されているＣＤＭＡ通信システムの無線通信装置であって、
上記データチャネル上に送信されるデータ信号および上記制御チャネル上に送信され、前記データ信号と対応付けられる制御信号とを含む受信信号を受信する受信部と、
該受信信号を分岐して得られる第１の受信信号に基づいて、対応するデータ信号のパケットサイズを示す制御信号の復調を行い該パケットサイズまたは変調方式の情報を抽出する制御チャネル復調部と、
上記受信信号を分岐して得られる第２の受信信号に基づいて、データ信号の復調処理の一部を並行して行うデータ復調部と、
上記データ信号に対応する制御信号の復調処理が終了するまで上記データ復調部における復調の途中結果を蓄積するメモリとを有し、
上記制御チャネル復調部で抽出されたパケットサイズまたは変調方式の情報に基づいてパケットサイズまたは変調方式が決定された後、該決定されたパケットサイズ又は変調方式に応じて、上記メモリに蓄積された途中結果のうち復調に必要なデータを取捨選択して読み出して復調処理を完了させることを特徴とする無線通信装置。
【請求項７】
請求項６記載の無線通信装置であって、
上記データ復調処理の途中結果には、複数のパケットサイズに対応できる信号成分を含むことを特徴とする無線通信装置。
【請求項８】
請求項６記載の無線通信装置であって、上記データ復調処理の途中結果には、Ｗａｌｓｈ符号のＷ2４及びＷ1２による復調結果のＩ成分及びＱ成分を含むことを特徴とする無線通信装置。
【請求項９】
請求項６記載の無線通信装置であって、データ送信装置との間で閉ループによるパケット再送制御を行い、再送が発生する可能性のある期間中のデータ復調処理の途中結果を全て上記メモリに蓄積し、あるパケットについて再送が発生した際には、前回送信時のデータ復調処理の続きをやり直した上で累積加算することを特徴とする無線通信装置。
【発明の詳細な説明】
【技術分野】
【０００１】
本発明は携帯電話や無線ＬＡＮ等の無線通信システムにおける、基地局ベースバンドモデム部の構成に関する。特にＣＤＭＡ（Ｃｏｄｅ Ｄｉｖｉｓｉｏｎ  Ｍｕｌｔｉｐｌｅ  Ａｃｃｅｓｓ）方式およびH−ＡＲＱ（Ｈｙｂｒｉｄ Ａｕｔｏｍａｔｉｃ  Ｒｅｐｅａｔ  Ｒｅｑｕｅｓｔ）制御を採用している無線通信システムの無線通信装置に適する。
【背景技術】
【０００２】
近年携帯電話等の無線通信システムでは、音声や文字メール等の比較的ビット数の少ない情報から、写真や動画ファイルが添付されたメール、ひいてはＴＶ電話の動画データ等ビット数の多い情報まで、多種多様な情報の伝送を求められている。この多様さに対応するため、システムには送信したいデータの量（ビット数）にあわせて複数のビットレートやパケットサイズが用意されており、それらを適切に組み合わせることで伝送効率を高めている。例えば標準化団体３ＧＰＰ２が定める無線通信規格ｃｄｍａ２０００ １ｘＥＶ−ＤＯ（Ｒｅｖ．Ａ）の上りチャネルにおいては、１９．２ｋｂｐｓ〜１８４３．２ｋｂｐｓまでの広い範囲で、１２種のパケットサイズが用意されている。また変調方式もＢＰＳＫ、ＱＰＳＫ、８ＰＳＫとＷａｌｓｈ符号を用いた拡散変調とを組合せて、全部で５種類の変調方式をパケットサイズに応じて使い分ける。パケットサイズと変調方式、及び復調に必要な成分の組合せを図２の表に示す。表からもわかるようにW２４とW１２の2種類のＷａｌｓｈ符号があり、パケットサイズが４０９６ビット以下の場合にはいずれか一方を、パケットサイズが６１４４ビット以上の場合には両方とも使用する。
【０００３】
上記１ｘＥＶ−ＤＯ規格における上りチャネルのフォーマットを図１により説明する。端末から送信される上りチャネルのパケットには、ユーザデータ信号の送信に用いられるデータチャネル１０１の他に、Ｐｉｌｏｔチャネル１０２やＲＲＩ（Ｒｅｖｅｒｓｅ Ｒａｔｅ Ｉｎｄｉｃａｔｏｒ）チャネル１０３等の制御チャネルが同区間にＣＤＭＡ（Ｃｏｄｅ  Ｄｉｖｉｓｉｏｎ  Ｍｕｌｔｉｐｌｅ  Ａｃｃｅｓｓ）多重されている。Ｐｉｌｏｔチャネル１０２は同期保持や伝播路推定に用いられ、ＲＲＩチャネル１０３は端末が送信するデータチャネルのパケットサイズを基地局に通知するＲＲＩ信号を送信するために用いられる。１サブフレーム１０４は６．６６ミリ秒で、パケットはサブフレーム単位で送信される。またＨ−ＡＲＱ（Ｈｙｂｒｉｄ Ａｕｔｏｍａｔｉｃ Ｒｅｐｅａｔ Ｒｅｑｕｅｓｔ：自動再送）制御により、端末と基地局はデータチャネルによる上りパケット送信後にＡｃｋ／Ｎａｃｋをやりとりし、基地局でデータチャネルのパケットが受信できなかった場合（下りチャネルでＮａｃｋ１０５が送信されてきた場合）、端末は同じデータを最大３回まで再送する。基地局では再送区間中ずっとデータを保持し、前回の復調結果に再送されたデータを累積加算し、再復号する。但し、1パケットは2サブフレームおきにしか送信できないため、３回再送した場合の基地局におけるデータ保持区間は１０サブフレーム＝６６．６ミリ秒分以上と非常に長くなる。
【発明の開示】
【発明が解決しようとする課題】
【０００４】
（１）上記１ｘＥＶ−ＤＯ規格において、上りチャネルのパケットサイズや変調方式を通知するＲＲＩチャネルはデータチャネルにコード多重されて送られてくるため、基地局はＲＲＩチャネルを復調するまでそのパケットのパケットサイズや変調方式を知ることができない。すなわちＲＲＩチャネルの復調が終わるまでデータチャネルを復調することができない。
（２）一方で上記Ｈ−ＡＲＱ制御のため、１サブフレーム後までにそのデータチャネルの復調結果を判定し、下りチャネルでＡｃｋ／Ｎａｃｋを送信しなくてはならない。すなわちデータチャネル復調の時間制限が厳しい。
（３）Ｈ−ＡＲＱ制御に対応するため、１０サブフレーム間以上データを保持するために基地局で必要なメモリ容量が大きくなる。
【０００５】
かかる問題は１ｘＥＶ−ＤＯ規格のみならず、ＣＤＭＡ方式の無線通信規格であって、Ｈ−ＡＲＱ再送制御を行う規格、例えば１ｘＥＶ−ＤＶ規格等にも共通の課題である。また上記の例では上りチャネルを受信する場合について説明したが、下りチャネルで同様なＲＲＩや再送制御の問題を抱えるシステムに対しても、同じ考え方を適用することが可能である。
【課題を解決するための手段】
【０００６】
上記課題（１）に対する本発明の解決方法では、ＲＲＩチャネルが復調されるまでの間、復調部の入力データをメモリに保持しておき、ＲＲＩチャネルが復調されてパケットサイズや変調方式が判明した時点で、まとめてデータチャネルを復調する。
上記課題（２）に対する本発明の解決方法では、ＲＲＩチャネルの復調と並行してデータチャネルの復調も途中まで行い、その結果をメモリに保持し、パケットサイズや変調方式が分かってから途中結果を取捨選択及び追加処理を行って最終出力を得る。
上記課題（３）に対する本発明の解決方法では、再送されている区間の復調前データを再送途中で段階的に破棄し、復調後の累積加算結果を保持することで必要なメモリ容量を削減する。
【発明の効果】
【０００７】
本発明は、ＲＲＩチャネルを復調するまでデータのパケットサイズや変調方式が分からず、復調できないという課題を解決し、データ処理遅延を制限時間内に押さえてＨ−ＡＲＱ再送制御を可能にしつつも、回路の動作速度やメモリ容量が大きくならないようなベースバンド復調回路を提供する。
【発明を実施するための最良の形態】
【０００８】
まず図３により、無線通信システムに使用される一般的な基地局の大枠の構成について説明する。アンテナ７０１より受信された受信信号はフロントエンド部７０２内のアンテナスイッチ（又はデュプレクサ）で送受分離され、フィルタリングを受けた後、無線部７０３において周波数変換を受けてベースバンド帯域に落とされる。更に信号は無線ＩＦ部７０４においてデジタル信号に変換され、ベースバンド部７０５の同期ブロックで初期同期捕捉された後、復調ブロック７０７で復調され、ネットワークＩＦ部７０５を介してネットワークへ出力される。また、端末へ送信する送信信号はネットワークＩＦ部７０５からベースバンド部７０５に入力され、送信ブロック７０８で誤り訂正符号化等の変調処理を受ける。その後送信信号は無線ＩＦ部７０４においてアナログ信号に変換され、無線部７０３で所望周波数帯域の周波数の信号となり、フロントエンド部７０２でフィルタリングされた後、アンテナ７０１から送信される。本発明はこの中で特に、ベースバンド部復調ブロックの回路構成手法に関するものである。
【０００９】
次に図４を用いて、本発明によるベースバンド部構成の第一の実施例を説明する。本実施例では、ＲＦインタフェース部から入力される受信データ３０１を逆拡散部３０２で逆拡散後に分岐させ、ＲＲＩを復調部３０３で復調するのと並行して、入力メモリ３０４に書き込む。データはチャネル毎にメモリ上の異なる領域に書き込まれ、そのデータレートはチップレート（１．２２８８ＭＨz）相当である。（1サブフレーム＋処理遅延α）後にＲＲＩ復調部３０３で行うＲＲＩチャネルの復調が終わり、受信パケットのパケットサイズや変調方式が決定されたら、データ復調部３０６ではそのパケットサイズや変調方式の設定に基づいて入力メモリ３０４からデータを読み出し、データ復調部３０６におけるデータ復調を行う。続いてＲｅｐｅｔｉｔｉｏｎされているシンボルを累積加算部３０７において累積加算して元のビット数に戻した後、デインタリーブメモリ３０８に書き込む。その後、デインタリーブメモリ３０８から読み出す際に規定の順序に従って読み出すことによりデータを並べ替え、デインタリーブ部３０９でデインタリーブする。デインタリーブはメモリ書き込み時に順番を入れ替えることも、読み出し時に入れ替えることも可能である。最後にターボ復号部３１０でターボ復号を行い、その結果を上位レイヤへ送出すると同時に、ＣＲＣ判定部３１１でのＣＲＣ判定の結果を送信ブロックに送出する。送信ブロックではこのＣＲＣ判定結果に基づき、下りチャネルで端末に対しＡｃｋ／Ｎａｃｋを送信する。ＣＲＣ判定結果は累積加算部３０７にも通知され、これによって次回以降の再送処理の有無が決まる。
【００１０】
入力メモリ３０４は、アンテナ毎に割り当てられた領域の最後まで書きこんだら次は領域の先頭アドレスに戻って上書きする、いわゆるリングバッファ形式で構成する。そのメモリ容量は、構成によって次の３通りの実施例が考えられる。それぞれの場合の処理順序を図５−７を用いて説明する。いずれも再送が３回発生し、全部で４回同じデータを受信する場合を考える。
【００１１】
（a）：図5に示すように、入力メモリ（３０４、４０１）に最大（10サブフレーム＋処理遅延α）区間分の受信データを格納できるだけの容量を準備する。再送が発生した際は、入力メモリ４０１には１回目の受信データおよび再送された受信データが格納される。２回目（再送分）のRRI復調４０２終了後、各受信タイミングの受信データを入力メモリ４０１から読み出して、１回目の受信データのデータ復調処理４０３及び２回目の受信データのデータ復調処理４０４を行い、それらを累積加算した後デインタリーブする。3回目、4回目も同様にRRI復調終了後、1回目の受信データの復調処理からやり直す。デインタリーブメモリにはデータを保持せず、再送データの復調処理を行う毎にリセットする。この方法では復調前のデータを入力メモリに蓄積しておくため、ＲＲＩの復調結果を誤って再送前と再送後の判定結果が食い違った場合においても１回目のデータから復調しなおすことができ、高い復調精度で課題（１）を解決できる。しかし再送回数が増えるにしたがってデータ復調処理量が増えるため、課題（２）の時間制限を守ることが困難になる。また、課題（３）のメモリ容量も非常に大きくなる。
【００１２】
（b）：図6に示すように、入力メモリ（３０４、４０５）に（1サブフレーム＋処理遅延α）区間分の受信データを格納できるだけの容量を準備する。一方でデータ復調処理結果４０６をデインタリーブメモリ４０７に保持しておき、再送が発生した際は、２回目の受信データに対して逆拡散及びデータ復調処理４０８を行い、デインタリーブメモリ４０７の内容（先のデータ復調処理結果）と累積加算する。デインタリーブメモリの内容は再送が終了するまで（10サブフレーム＋処理遅延β）区間分保持しておき、3回目、4回目も同様に、再送分のデータ復調のみを行ってデインタリーブメモリの内容と累積加算する。累積加算してもデインタリーブメモリの1チャネルあたりのワード数は変化しないが、他のパケットが受信処理される区間（４０９や４１０）もデータを保持する必要があるため、デインタリーブメモリを他のチャネルと共用することはできず、デインタリーブメモリの容量が増加する。しかし受信データに比べると復調後のデータの方が１サブフレームあたりのデータ量が少ない（変調方式によるが、約１／3〜１／４）ため、入力メモリに長区間分の受信データを蓄積しておく（ａ）の方式に比べると、全体的にメモリ容量を低減可能である。この方式ではデインタリーブメモリに処理結果を保持して、再送されてきたデータを累積加算していくため、ＲＲＩ復調を誤った場合、最初から復調をやり直すことはできない。よって（ａ）に比べて復調精度が悪くなるものの、再送回数が増えてもデータ復調処理量を低く抑えられるため、課題（２）の時間制限の実現は容易になる。また上述のように課題（３）のメモリ容量削減の面でも非常に効果的な方法といえる。
【００１３】
（c）：図7に示すように、入力メモリ（３０４、４１１）に（４サブフレーム＋処理遅延α）区間分の受信データを格納できるだけの容量を準備する。再送の1回目が終わるまでは入力データを保持しておくことで、ＲＲＩ復調結果が1回目と2回目で異なる場合には、1回目の分のデータ復調からやりなおすことが可能になる。ＲＲＩは元来データチャネルに比べて送信電力が強く、信号電力対ノイズ電力比が低い領域においても正しく復調できるよう考慮されている。ＲＲＩ復調結果も累積加算することで復調精度が増すことを考慮すれば、再送の2回目、3回目のＲＲＩ誤り率は十分に低いと予想されるため、以降は累積加算結果のみを保持し、入力データは破棄する。この方法は（ａ）（ｂ）の折衷案であり、課題（１）を高い復調精度で実現しながら、課題（2）（3）に対しても効果的な解決方法を与える。
【００１４】
次に図８を用いて、本発明によるベースバンド部構成の第二の実施例を説明する。
本実施例では、ＲＦインタフェース部から入力される受信データ５０１を分岐させ、逆拡散部５０２において逆拡散しＲＲＩを復調部（５０３）で復調するのと並行して、データチャネルで用いられる２通りのＷａｌｓｈコード、W２４による復調処理部５０４とW１２による復調処理部５０５においてそれぞれ復調処理を行い、結果を遅延メモリ５０６に格納する。図２の表の右端の列から見て分かるように、W２４とW１２の復調結果のI成分とQ成分を用意しておけば、いずれの変調方式に対しても対応可能である。（1サブフレーム＋処理遅延α）後にＲＲＩ復調部５０３で行うＲＲＩの復調が終わり、受信パケットのパケットサイズや変調方式が決定されたら、そのパラメータ設定を基に累積加算部５０７に予め格納されている図２の表を参照し、必要な成分（例えばパケットサイズ２０４８の場合であれば、W２４のI成分とQ成分のみ）を遅延メモリ５０６から読み出し、Ｒｅｐｅｔｉｔｉｏｎされているシンボルを累積加算５０７して元のビット数に戻した後、デインタリーブメモリ５０８に書き込む。その後、デインタリーブメモリ５０８から読み出す際に規定の順序に従って読み出すことによりデータを並べ替え、デインタリーブ５０９する。デインタリーブは、メモリ書き込み時に順番を入れ替えることも、読み出し時に入れ替えることも可能である。最後にターボ復号部５１０でターボ復号を行い、その結果を上位レイヤへ送出すると同時に、ＣＲＣ判定部５１１における判定の結果を送信ブロックに送出する。送信ブロックではこのＣＲＣ判定結果に基づいて下りチャネルで端末に対しＡｃｋ／Ｎａｃｋを送信する。ＣＲＣ判定結果は累積加算部５０７にも通知され、これによって次回以降の再送処理の有無が決まる。
【００１５】
遅延メモリ５０６は、チャネル毎に割り当てられた領域の最後まで書きこんだら次は領域の先頭アドレスに戻って上書きする、いわゆるリングバッファ形式で構成する。データレートはＷａｌｓｈ復調後のため、第一の実施例の入力メモリのデータレートに比べ、１／２〜１／４程度低くなっている。メモリ容量は全チャネル共通であり、構成によって次の2通りが考えられる。それぞれの場合の処理順序を図９−１０を用いて説明する。いずれも再送が３回発生し、全部で４回同じデータを受信する場合を考える。
【００１６】
（d）：図９に示すように、遅延メモリ６０１に（10サブフレーム＋処理遅延γ）区間分のＷａｌｓｈ復調結果を格納できるだけの容量を準備する。再送が発生した際は、２回目（再送分）のRRI復調６０２終了後、遅延メモリから１回目の受信データのＷａｌｓｈ復調結果６０３及び２回目の受信データのＷａｌｓｈ復調結果６０４のうち必要な成分のみを読み出し、それらを累積加算６０５した後デインタリーブする。3回目、4回目も同様にRRI復調終了後、1回目の受信データのＷａｌｓｈ復調結果から累積加算をやり直す。デインタリーブメモリにはデータを保持せず、再送データの復調処理を行う毎にリセットする。この方法では、全ての変調方式に対応できるよう、全成分についてＷａｌｓｈ復調処理結果を保持しているため、ＲＲＩの復調結果を誤って再送前と再送後の判定結果が食い違った場合においても１回目のデータから復調しなおすことができ、高い復調精度で課題（１）を解決できる。しかし再送回数が増えるにしたがってデータ復調処理量が増えるため、課題（２）の時間制限を守ることが困難になる（但し、ＲＲＩ復調と並行してＷａｌｓｈ復調を行っているため、第一の実施例と比べてほぼ１サブフレーム分の処理余裕が生ずる）。また、第一の実施例（ａ）と比べると１／２〜１／４になるものの、課題（３）のメモリ容量も大きくなる。
【００１７】
（e）：図１０に示すように、遅延メモリ６０６に（1サブフレーム＋処理遅延α）区間分のＷａｌｓｈ復調結果を格納できるだけの容量を準備する。1回目の受信データのデータ復調結果６０７をデインタリーブメモリ６０８に保持しておき、再送が発生した際は、２回目の受信データのデータ復調処理６０９を行い、デインタリーブメモリに保持した内容６０８と累積加算する。デインタリーブメモリの内容は再送が終了するまで（10サブフレーム＋処理遅延β）の区間分保持しておき、3回目、4回目も同様に、再送分のデータ復調のみを行ってデインタリーブメモリの内容と累積加算する。累積加算してもデインタリーブメモリの1チャネルあたりのワード数は変化しないが、他チャネルのパケットが受信処理される区間（６１０や６１１）もデータを保持する必要があるため、デインタリーブメモリを他のチャネルと共用することはできず、デインタリーブメモリの容量が増加する。しかし再送が発生したチャネルの復調に必要な成分のデータのみを保持するため、（ｄ）の方式に比べると全体的にメモリ容量を低減可能である。この方式ではデインタリーブメモリに処理結果を保持して、再送されてきたデータを累積加算していくため、ＲＲＩ復調を誤った場合、最初から復調をやり直すことはできない。よって（ｄ）に比べて復調精度が悪くなるものの、再送回数が増えてもデータ復調処理量を低く抑えられるため、課題（２）の時間制限の実現は容易になる。また上述のように課題（３）のメモリ容量削減の面でも非常に効果的な方法といえる。
【００１８】
第一の実施例と同様に、（ｄ）（ｅ）の折衷案として遅延メモリにＷａｌｓｈ復調結果を保持する期間を（４サブフレーム＋処理遅延α）とする方法（ｆ）も考えられる。
【００１９】
また上記の例では上りチャネルを受信する場合について説明したが、下りチャネルで同様に、ＲＲＩによる変調方式及びパケットサイズの通知や再送制御を行うシステムにおいても、同じ考え方を適用することが可能である。
【図面の簡単な説明】
【００２０】
【図１】１ｘＥＶ−ＤＯ（Ｒｅｖ．Ａ）規格で規定された上りチャネルのフォーマット及びＨ−ＡＲＱ再送制御の仕組みを示す図。
【図２】１ｘＥＶ−ＤＯ（Ｒｅｖ．Ａ）規格で規定されたパケットサイズと変調方式、データ復調に必要な成分の対応表。
【図３】無線通信システムに使用される一般的な基地局の構成例を示す図。
【図４】本発明によるベースバンド部復調ブロックの第１の構成例を示す図。
【図５】本発明による第1の実施例（ａ）の処理順序を示す図。
【図６】本発明による第1の実施例（ｂ）の処理順序を示す図。
【図７】本発明による第1の実施例（ｃ）の処理順序を示す図。
【図８】本発明によるベースバンド部復調ブロックの第２の構成例を示す図。
【図９】本発明による第２の実施例（ｄ）の処理順序を示す図。
【図１０】本発明による第２の実施例（ｅ）の処理順序を示す図。
【符号の説明】
【００２１】
１０１…データチャネル、１０２…パイロットチャネル、１０３…ＲＲＩチャネル、１０４…サブフレーム区間、１０５…Ｎａｃｋ、３０１、５０１…受信データ入力、３０２、３０５、５０２…逆拡散処理部、３０３、５０３…ＲＲＩ復調部、３０４…入力メモリ、３０６…データ復調部、３０７、５０７…累積加算部、３０８、５０８…デインタリーブメモリ、３０９、５０９…デインタリーブ処理部、３１０、５１０…ターボ復号部、３１１、５１１…ＣＲＣ判定部、４０１、４０５、４１１…入力メモリ保持期間、４０２、６０２…ＲＲＩ処理期間、４０３、４０６…1回目のデータ復調処理、４０４、４０８…2回目のデータ復調処理、４０７、６０８…デインタリーブメモリ保持期間、４０９、４１０…他のパケット受信期間、５０４…Ｗａｌｓｈコード(W24)復調部、５０５…Ｗａｌｓｈコード(W12)復調部、５０６…遅延メモリ、６０１、６０６…遅延メモリ保持期間、６０３…1回目のＷａｌｓｈ復調結果、６０４…2回目のＷａｌｓｈ復調結果、６０５…累積加算、６０７…1回目のデータ復調結果、６０９…2回目のデータ復調結果、７０１…アンテナ、７０２…フロントエンド部、７０３…無線部、７０４…無線ＩＦ部、７０５…ベースバンド部、７０６…ネットワークＩＦ部、７０７…復調ブロック。
【図１】
2006229635.tif 000003
【図２】
2006229635.tif 000004
【図３】
2006229635.tif 000005
【図４】
2006229635.tif 000006
【図５】
2006229635.tif 000007
【図６】
2006229635.tif 000008
【図７】
2006229635.tif 000009
【図８】
2006229635.tif 000010
【図９】
2006229635.tif 000011
【図１０】
2006229635.tif 000012